(57)【特許請求の範囲】
【請求項１】
挿入された長尺状の被照射物の先端から順次電子線照射室に送るロールと前記電子線照射室を通過して電子線照射処理された前記被照射物の先端から順次排出するロールとを具えてなる電子線照射装置において、前記電子線照射室内に、電子線照射領域から外れた端部に前記被照射物の搬送方向に沿って延びる断面Ｕ字状の、前記電子線照射領域に位置する前記被処理物を前記電子線照射領域から退避収納する収納治具を設けてなることを特徴とする電子線照射装置。
【発明の詳細な説明】
【０００１】
【発明が属する技術分野】
本発明は、電子線照射装置に関し、特に電子線照射処理中の長尺状の被照射物の退避に関するものである。
【０００２】
【従来の技術】
電子線照射装置は、周知のように、フィラメントで発生した熱電子を高電圧が印加された加速器により加速して電子線として出力し、その電子線を例えば改質しょうとする処理物（被照射物）に照射するものである。図４はこのような電子線照射装置の一例の概略構成を示すもので、この図において、１は電子線を発生する電子線発生器、２は電子線照射処理する被照射物（被照射物を誘導する誘導材も含む。）を配置する処理器、Ｒ１〜Ｒ６は長尺状の被照射物（図示２点鎖線）４を搬送するロール、３は被照射物を網目ベルト３ａに載せて搬送するコンベア装置である。
【０００３】
処理器２の内部は被照射物を通過させる狭いスリットを形成した複数のＸ線遮蔽用仕切壁で仕切られ、仕切壁で仕切られた中央部の空間部に電子線発生器１の電子線照射窓１ａを配置して電子線照射室２ａとし、その電子線照射室２ａの隣の一方の空間部に長尺状の被照射物４を送るロールＲ１〜Ｒ３が設置され、他方の空間部に電子線照射室２ａを通過した長尺状の被照射物４を順次排出するロールＲ４〜Ｒ６が設置されている。なお、符号５は鉛などからなるＸ線遮蔽体（ターゲット）である。
【０００４】
コンベア装置３はテンションが掛けられない被照射物の場合に、ベルト３ａに被照射物を載せ、ベルト３ａを移動させて電子線照射室２ａに送り、電子線照射処理後、ベルト３ａを移動させて送り出すときに使用するもので、上下に移動可能とされ、ロールＲ１〜Ｒ６からなる搬送手段で被照射物を処理するときには下方に退避させている。
【０００５】
このように構成した電子線照射装置は、テンションが掛けられる長尺のシート材を処理する場合には、その先端から順に仕切壁のスリットを挿通し、ロールＲ１〜Ｒ３により電子線照射室２ａへ順次送り、ここで電子線照射処理され、ロールＲ４〜Ｒ６によりその先端から順次に排出する。テンションが掛けられない被照射物を処理する場合には、コンベア装置３を上方に移動しておき（図示状態）、ベルト３ａに被照射物を載せて電子線照射室２ａに送り、ここで電子線照射処理され、ベルト３の移動により排出する。
【０００６】
【発明が解決しようとする課題】
ところでロールからなる搬送手段で長尺状の被照射物を処理している場合に、電子線照射装置を完全に停止してメンテナンスや点検などを行なうときがあり、また、上記のような電子線照射装置では処理中の長尺状の被照射物の材質や特性が異なる被照射物をコンベア装置で優先的に処理するときがあり、これらのときには、ロールからなる搬送手段で処理している長尺状の被照射物を電子線照射装置から取り除いている（メンテナンスや点検の場合は長くたるませることもある。）。しかし、この長尺状の被照射物を取り除くと、処理再開時には狭いスリットを通すなどの作業が必要であり、その作業に多くの時間や手間を要するものとなっている。
【０００７】
本発明は、このような実状に鑑みなされたもので、処理再開時の長尺状の被照射物の設定を簡単に行なうことができ、処理効率の高い電子線照射装置を提供することを目的とする。
【０００８】
【課題を解決するための手段】
本発明は、挿入された長尺状の被照射物の先端から順次電子線照射室に送るロールと前記電子線照射室を通過して電子線照射処理された前記被照射物の先端から順次排出するロールとを具えてなる電子線照射装置において、前記電子線照射室内に、電子線照射領域から外れた端部に前記被照射物の搬送方向に沿って延びる断面Ｕ字状の、前記電子線照射領域に位置する前記被処理物を前記電子線照射領域から退避収納する収納治具を設けてなることを特徴とする。
【０００９】
この特徴によれば、処理停止時処理中の長尺状の被照射物の電子線照射領域に位置する部分を収納治具に収納できるので、処理再開時には収納した被照射物を取り出して電子線照射領域にそのまま戻すだけで済み、その作業は極めて簡単となる。また、収納後は電子線照射領域が空くのでメンテナンスや点検を行なうことができ、さらにコンベア装置による別の被照射物の電子線照射処理を行なうこともできる。
【００１０】
【発明の実施の形態】
以下、本発明の実施の形態について図を参照して説明する。図１は、本発明の実施の形態に係る電子線照射装置の電子線照射室の概略構成を示す縦断面図、図２は図１のＡ−Ａ線の片側横断面図、図３は図２の収納治具部の拡大断面図である。なお、図１〜図３において図４に示す電子線照射装置と対応する部分および同一部分には同一の符号を付している。
【００１１】
図１において、１は電子線を発生する電子線発生器、１ａは電子線発生器１の電子線照射窓、２ａは電子線照射室、６は収納治具、７は取り付け治具、８は分割できる蝶番、９は蝶ねじである。収納治具６はＳＵＳなどの金属板を図２および図３に示すように、断面ほぼＵ字状をなすように折り曲げて形成され、被照射物の搬送方向に沿って電子線照射室２ａの電子線照射領域から外れる端部に蝶番８および蝶ねじ９により着脱可能に固定されている。収納治具６の電子線照射領域側に位置する開口の端部６ａは散乱電子が収納物に直接当たらないように内側に折り曲げられている。
【００１２】
このように電子線照射室２ａ内の電子線照射領域から外れる端部に収納治具６を取り付けておくと、ロールからなる搬送手段で長尺状の被照射物を処理している処理中に電子線照射装置を停止してメンテナンスや点検などを行なう場合、電子線照射領域に位置する部分の被照射物（誘導材も含む）手繰り寄せて収納治具６に収納し、電子線照射領域から退避させる。メンテナンスや点検が終了すると、収納治具６に収納した被照射物を取り出して電子線照射領域に復帰させ、引き続き電子線照射処理を続ける。
【００１３】
また、この処理中にコンベア装置により他の被照射物を処理する場合も同様に電子線照射領域に位置する部分の被照射物または誘導材を手繰り寄せて収納治具６に収納し、電子線照射領域から退避させ、コンベア装置を上昇して被照射物を電子線照射領域に送り、被照射物に電子線を照射する。この場合、長尺状の被照射物は収納治具６に収納しているので電子線の照射を受けることがなく、コンベア上の被照射物は長尺状の被照射物に邪魔されることなく所定の電子線が照射される。コンベア装置による電子線照射が終了すると、収納治具６に収納した被照射物を取り出して電子線照射領域に復帰させ、引き続き電子線照射処理を続ける。なお、以上の実施の形態は被照射物を搬送する手段としてコンベア装置も具えるが、このようなコンベア装置は必ず必要とするものでない。
【００１４】
【発明の効果】
以上、説明したように本発明によれば、ロールからなる搬送手段で処理している長尺状の被照射物を、電子線照射室内に設置した収納治具に電子線照射領域に位置する部分を収納退避させることができるので、被照射物のたわみが少なくその作業は簡単かつ迅速に行なうことができる。したがって、長尺状の被照射物の処理再開時の設定を簡単に行なうことができるとともに、電子線照射装置の処理効率を高めることができる。
【図面の簡単な説明】
【図１】本発明の実施の形態に係る電子線照射装置の電子線照射室の概略構成を示す縦断面図である。
【図２】図１のＡ−Ａ線の片側横断面図である。
【図３】図２の収納治具部の拡大断面図である。
【図４】電子線照射装置の一例の概略の構成を示す縦断面図である。
【符号の説明】
１  電子線発生器
１ａ  電子線照射窓
２  処理器
２ａ  電子線照射室
３  コンベア装置
３ａ  コンベアベルト
４  長尺状の被照射物
６  収納治具
２  処理器
Ｒ１〜Ｒ６  搬送ロール
【図１】
0003804416.tif 000002
【図２】
0003804416.tif 000003
【図３】
0003804416.tif 000004
【図４】
0003804416.tif 000005